(57)【要約】【課題】カバー部材を誤った方法で取り付けようとした場合にも、カバー部材や筺体の損傷を防ぐ。【解決手段】電子機器１０Ｂは、開口部２１が形成された筺体２０と、開口部２１を閉塞可能で、開口部２１を覆うようにして筺体２０に沿わせた状態でスライド移動させることにより筺体２０に嵌合するカバー部材３０と、を備え、カバー部材３０は、筺体２０に設けられたガイド部２２によってスライド移動自在に支持されるガイド爪３１と、カバー部材３０の一端側３０ａに設けられ、カバー部材３０が開口部２１を閉塞した状態で筺体２０に係合する係合爪３２と、を備え、筺体２０は、係合爪３２を筺体２０に挿入した状態でカバー部材３０の他端側３０ｂを筺体２０に接近させるようにカバー部材３０を回動させたときに、カバー部材３０を一端側３０ａから他端側３０ｂに向けて変位させる案内部２３を備えるものとした。【選択図】図１０
2015015579.tif 000002
【特許請求の範囲】
【請求項１】
外表面に開口部が形成された筺体と、
前記開口部を閉塞可能で、前記開口部を覆うようにして前記筺体に沿わせた状態でスライド移動させることにより前記筺体に嵌合するカバー部材と、を備え、
前記カバー部材は、
前記筺体に設けられたガイド部によって前記スライド移動方向に向かって移動自在に支持されるガイド爪と、
前記カバー部材の前記スライド移動方向の一端側に設けられ、前記カバー部材が前記開口部を閉塞した状態で前記筺体に係合する係合爪と、を備え、
前記筺体は、
前記筺体が前記係合爪を支持した状態で、前記カバー部材が該カバー部材の前記スライド移動方向の他端側を前記筺体に接近させる方向に回動したときに、前記カバー部材を前記一端側から前記他端側に向けて変位させる案内部を備えていることを特徴とする電子機器。
【請求項２】
前記案内部は、前記一端側から前記他端側に向かうにしたがって、前記筺体の外表面から離間する方向に傾斜する傾斜面であることを特徴とする請求項１に記載の電子機器。
【請求項３】
前記カバー部材には、前記案内部に突き当たる被案内部が形成されていることを特徴とする請求項１または２に記載の電子機器。
【請求項４】
前記被案内部は、前記ガイド爪に形成されていることを特徴とする請求項３に記載の電子機器。
【請求項５】
前記ガイド爪は、前記スライド移動方向に沿って複数設けられ、
前記被案内部は、複数の前記ガイド爪のうち、前記一端側の前記ガイド爪に形成されていることを特徴とする請求項４に記載の電子機器。
【請求項６】
前記ガイド部、前記ガイド爪、および前記案内部は、前記スライド移動方向に直交する幅方向両側にそれぞれ設けられていることを特徴とする請求項１から５のいずれか一項に記載の電子機器。
【発明の詳細な説明】
【技術分野】
【０００１】
本発明は、電池パックやメモリーカード等を収容する部分に着脱可能なカバーが設けられた、携帯電話端末等の電子機器に関する。
【背景技術】
【０００２】
携帯電話端末、ＰＨＳ（Personal Handy-phone System）、トランシーバ、ＰＤＡ（Personal Digital Assistant）、ノート型パーソナルコンピュータ、携帯音楽プレーヤー等をはじめとする各種電子機器の筺体において、充電式の電池パックやメモリーカード等を収容する部分に、着脱可能なカバーが設けられていることがある。
【０００３】
特許文献１、２には、このようなカバーを備えた電子機器として、バッテリー収容部が形成された筐体と、バッテリー収容部に収容されるバッテリーと、バッテリー収容部を覆うカバー部材と、を備え、カバー部材には、カバー部材を筐体に対して所定の一方向にスライドすることによって筐体の一部と係合される係合爪を有する構成が開示されている。
【０００４】
図１２は、特許文献１，２に記載のような電子機器の概略的な構成を示す図である。
この図１２（ａ）に示すように、カバー部材１には、スライド方向（紙面左右方向）の両側に、筺体２に設けられたガイド爪３に対してスライド可能に係止されるフック部材４が設けられている。また、カバー部材１には、スライド方向の一端側に、カバー部材１で筺体２のバッテリー収容部２ａを閉塞するときに筺体２に形成された嵌合凹部５に嵌合する嵌合爪部材６が設けられている。
図１２（ｂ）に示すように、カバー部材１を筺体２に装着するときには、バッテリー収容部２ａを覆うようにしてカバー部材１をセットする。この状態から、カバー部材１を筺体２に沿った方向にスライドさせる。すると、カバー部材１は、スライド方向に直交する幅方向の両側に設けられたフック部材４が筺体のガイド爪３に係合されながらスライドする。そして、図１２（ｃ）に示すように、カバー部材１の一端側に設けられた嵌合爪部材６を筺体２に嵌合させる。これにより、カバー部材１は、バッテリー収容部２ａを閉塞した状態にロックされる。
【先行技術文献】
【特許文献】
【０００５】
【特許文献１】特開２００７−２５７９３３号公報
【特許文献２】特開２００８−２６３４３３号公報
【発明の概要】
【発明が解決しようとする課題】
【０００６】
しかしながら、図１２（ｄ）に示すように、ユーザがカバー部材１を装着する際に、誤って、カバー部材１の嵌合爪部材６を筺体２の嵌合凹部５に斜めに差し込んだ後、嵌合爪部材６側を中心としてカバー部材１を回動させて、カバー部材１を筺体２に嵌め込もうとすることが考えられる。
このような場合には、筺体２側のガイド爪３とカバー部材１側のフック部材４とが衝突し、ユーザが無理にカバー部材１を嵌め込もうとして力を加えると、フック部材４やガイド爪３が損傷してしまうことがある。
本発明は上述のような課題に鑑みてなされたものであり、カバー部材を誤った方法で取り付けようとした場合にも、カバー部材や筺体の損傷を防ぐことのできる電子機器を提供する。
【課題を解決するための手段】
【０００７】
本発明は、上記課題を解決するため、以下の手段を採用する。
すなわち、本発明は、外表面に開口部が形成された筺体と、前記開口部を閉塞可能で、前記開口部を覆うようにして前記筺体に沿わせた状態でスライド移動させることにより前記筺体に嵌合するカバー部材と、を備え、前記カバー部材は、前記筺体に設けられたガイド部によって前記スライド移動方向に向かって移動自在に支持されるガイド爪と、前記カバー部材の前記スライド移動方向の一端側に設けられ、前記カバー部材が前記開口部を閉塞した状態で前記筺体に係合する係合爪と、を備え、前記筺体が前記係合爪を支持した状態で、前記カバー部材が該カバー部材の前記スライド移動方向の他端側を前記筺体に接近させる方向に回動したときに、前記カバー部材を前記一端側から前記他端側に向けて変位させる案内部を備えていることを特徴とする。
【発明の効果】
【０００８】
本発明によれば、カバー部材を誤った方法で取り付けようとした場合にも、カバー部材や筺体の損傷を防ぐことができる
【図面の簡単な説明】
【０００９】
【図１】本発明の電子機器の最小構成を示す図である。
【図２】本発明の電子機器の第２の実施形態を示す図であり、電子機器の概略構成を示す斜視展開図である。
【図３】電子機器の筺体を示す斜視図である。
【図４】図３のＪ１−Ｊ１断面矢視図である。
【図５】図３のＫ１−Ｋ１断面矢視図である。
【図６】カバー部材の構成を示す部分的な斜視図である。
【図７】カバー部材を筺体に装着する際の流れを示す図であり、（ａ）はカバー部材を筺体の外表面と平行にセットした状態を示す斜視図、（ｂ）は（ａ）のＫ２−Ｋ２断面矢視図、（ｃ）は（ａ）のＪ２−Ｊ２断面矢視図である。
【図８】カバー部材を筺体に装着する際の流れを示す図であり、（ａ）はカバー部材を筺体に接近させた状態を示す斜視図、（ｂ）は（ａ）のＫ３−Ｋ３断面矢視図、（ｃ）は（ａ）のＪ３−Ｊ３断面矢視図である。
【図９】カバー部材を筺体に装着する際の流れを示す図であり、（ａ）はカバー部材をスライドさせた状態を示す斜視図、（ｂ）は（ａ）のＫ４−Ｋ４断面矢視図、（ｃ）は（ａ）のＪ４−Ｊ４断面矢視図である。
【図１０】カバー部材を筺体に対して回動させる際の流れを示す図であり、（ａ）はカバー部材を筺体に斜めに挿入した状態を示す斜視図、（ｂ）は（ａ）のＪ５−Ｊ５断面矢視図である。
【図１１】カバー部材を回動させて装着する際の流れを示す図であり、（ａ）はカバー部材を図１０の状態から回動させた状態を示す斜視図、（ｂ）は（ａ）のＫ６−Ｋ６断面矢視図、（ｃ）は（ａ）のＪ６−Ｊ６断面矢視図である。
【図１２】従来のスライド式のカバーの筺体に対する装着構造を示す図である。
【発明を実施するための形態】
【００１０】
以下、添付図面を参照して、本発明による電子機器を実施するための最良の形態を説明する。しかし、本発明はこれらの実施例のみに限定されるものではない。
【００１１】
［第１の実施形態］
図１は、本実施形態による電子機器の最小構成を示す図である。
この図が示すように、電子機器１０Ａは、外表面２０ｆに開口部２１が形成された筺体２０と、開口部２１を閉塞可能で、開口部２１を覆うようにして筺体２０に沿わせてスライド移動させることにより筺体２０に嵌合するカバー部材３０と、を備え、カバー部材３０は、筺体２０に設けられたガイド部２２によってスライド移動方向に向かって移動自在に支持されるガイド爪３１と、カバー部材３０のスライド移動方向の一端側３０ａに設けられ、カバー部材３０が開口部２１を閉塞した状態で筺体２０に係合する係合爪３２と、を備え、筺体２０は、筺体２０が係合爪３２を支持した状態で、カバー部材３０がスライド移動方向の他端側３０ｂを筺体２０に接近させる方向に回動したときに、カバー部材３０を一端側３０ａから他端側３０ｂに向けて変位させる案内部２３を少なくとも備えていればよい。
【００１２】
この電子機器１０Ａは、カバー部材３０で開口部２１を閉塞するには、開口部２１を覆うようにしてカバー部材３０を筺体２０に沿わせ、ガイド爪３１が筺体２０のガイド部２２によって支持された状態で、筺体２０に沿った方向にカバー部材３０をスライド移動させる。すると、カバー部材３０の一端側３０ａに設けられた係合爪３２が筺体２０に係合することによって、開口部２１を閉塞できるようになっている。
ユーザが、カバー部材３０で開口部２１を閉塞するときに、上記のようにカバー部材３０をスライド移動させずに、カバー部材３０の一端側３０ａに設けられた係合爪３２を筺体２０に挿入した状態で、カバー部材３０の他端側３０ｂを筺体２０に接近させるように回動させた場合、カバー部材３０は、案内部２３によって一端側３０ａから他端側３０ｂに向けて変位する。これによって、ガイド爪３１が筺体２０のガイド部２２に衝突するのを防ぐことができる。
したがって、カバー部材３０を誤った方法で筺体２０に取り付けようとした場合にも、カバー部材３０や筺体２０の損傷を防ぐことが可能となる。
【００１３】
［第２の実施形態］
図２に示すように、本実施形態に係る電子機器１０Ｂは、筺体２０と、カバー部材３０と、を備えている。
【００１４】
筺体２０は、平面視長方形状でほぼ一定の厚さを有したプレート状である。この筺体２０の一方の外表面２０ｆの一部には、直方体状の電池パック４０を収容する電池収容部２１が、開口部の一例として形成されている。
図３に示すように、電池収容部２１は、外表面２０ｆと平行に形成された平面視矩形の底面２１ａと、底面２１ａの四方から外表面２０ｆ側に立ち上がる側壁部２４Ａ，２４Ｂ，２４Ｃ，２４Ｄと、を有し、外表面２０ｆに開口した有底凹部状をなしている。
電池収容部２１において、筺体２０の幅方向である短手方向に延びる側壁部２４Ａ，２４Ｂには、電池パック４０に設けられた不図示の突起を嵌め込むことによって電池パック４０を固定する固定凹部２５Ａと、電池パック４０を電池収容部２１から取り外す時に指（爪）等を差し込むためのスペースを形成する凹部２５Ｂが形成されている。
【００１５】
電池収容部２１の四方の側壁部２４Ａ，２４Ｂ，２４Ｃ，２４Ｄのうち、筺体２０の長手方向に延びる側壁部２４Ｃ，２４Ｄには、筺体２０の長手方向に向かって間隔をあけた複数箇所、例えば３箇所に、電池収容部２１の外周側に向けて凹んだ凹部２６が形成されている。
図４に示すように、凹部２６には、それぞれ、筺体２０の一端２０ａ側に、カバー部材３０を係止するガイド部２２が、電池収容部２１の内周側に向けて突出形成されている。
ガイド部２２は、凹部２６において筺体２０の一端２０ａに近い側から他端２０ｂ側（図４において右方）に向けて延びるよう形成されている。凹部２６において、ガイド部２２よりも他端２０ｂ側には、カバー部材３０の係合爪３２を凹部２６内に挿入するための開口空間２６ｐが形成されている。さらに、凹部２６において、ガイド部２２と電池収容部２１の底面２１ａ側には、ガイド爪３１の先端部が入り込む挿入空間２６ｑが開口空間２６ｐに連続して形成されている。
【００１６】
側壁部２４Ｃ，２４Ｄにおいて、ガイド部２２が形成された凹部２６よりも筺体２０の一端２０ａ側の側壁部２４Ａに近接した位置には、電池収容部２１の外周側に向けて凹んだ凹部２７が形成されている。
凹部２７には、筺体２０の一端２０ａ側に、カバー部材３０を係止するとともに、電池収容部２１に嵌め込むときのカバー部材３０の動作を案内する案内部材２８が形成されている。案内部材２８は、凹部２７において筺体２０の一端２０ａに近い側から他端２０ｂ側に向けて突出するよう形成されている。
案内部材２８において、電池収容部２１の開口側（底面２１ａと反対側）を向く面には、筺体２０の一端２０ａ側から他端２０ｂに行くにしたがい、電池収容部２１の底面２１ａに近づく傾斜面からなる案内部２３が形成されている。
また、案内部材２８において、電池収容部２１の底面２１ａに対向する側には、筺体２０の一端２０ａ側から他端２０ｂに行くにしたがい、電池収容部２１の底面２１ａから離間する傾斜面２８ｓが形成されている。
凹部２７において、案内部材２８よりも他端２０ｂ側には、カバー部材３０のガイド爪３３を凹部２７内に挿入するための開口空間２７ｐが形成されている。さらに、凹部２７において、案内部材２８と電池収容部２１の底面２１ａ側には、係合爪３２の先端部が入り込む挿入空間２７ｑが開口空間２７ｐに連続して形成されている。
【００１７】
図３に示すように、側壁部２４Ａには、筺体２０の短手方向に間隔を隔てた例えば２箇所に、カバー部材３０を係合させるための係合凹部２９が形成されている。図５に示すように、係合凹部２９は、側壁部２４Ａに対して筺体２０の一端２０ａ側に向けて凹むよう形成されている。係合凹部２９には、筺体２０の他端２０ｂ（図２参照）側に向けて開口した開口部２９ａが形成されている。この係合凹部２９には、筺体２０の外表面２０ｆ側に、電池収容部２１の底面２１ａに向けて突出する係止爪２９ｔが形成されている。
【００１８】
図２に示すように、カバー部材３０は、電池収容部２１に着脱可能とされ、電池収容部２１に装着した状態で、電池収容部２１を閉塞できるようになっている。このカバー部材３０は、電池収容部２１を覆うようにして筺体２０に沿わせた状態で他端２０ｂ側から一端２０ａ側にスライド移動させることにより筺体２０に嵌合するようになっている。
カバー部材３０は、プレート状のカバー本体３０ｐと、カバー本体３０ｐの短手方向の端部に設けられたガイド爪３１および３３と、係合爪３２と、を備えている。
【００１９】
ガイド爪３１は、カバー本体３０ｐの短手方向の両側端部に、長手方向に沿って設けられている。本実施形態では、ガイド爪３１は、長手方向に間隔をあけて、それぞれ３箇所に設けられている。図４、図６に示したように、各ガイド爪３１には、カバー本体３０ｐの裏面と直交して延びる基部３１ａと、基部３１ａの先端部からカバー本体３０ｐの一端側３０ａに向けてカバー本体３０ｐの裏面と平行に延びるアーム部３１ｂと、が一体に形成されている。
【００２０】
また、ガイド爪３３は、カバー本体３０ｐにおいて、３箇所に設けられたガイド爪３１のいずれよりも一端側３０ａに近い側に形成されている。このガイド爪３３には、カバー本体３０ｐの裏面と直交して延びる基部３３ａと、基部３３ａの先端部から一端側３０ａに向けてカバー本体３０ｐの裏面と平行に延びる被案内部の一例としてのアーム部３３ｂとが一体に形成されている。
ここで、アーム部３３ｂのカバー本体３０ｐに対向する側には、基部３３ａ側からアーム部３３ｂの先端に向かうにしたがいカバー本体３０ｐから漸次離間する方向（筺体２０の外表面２０ｆから離間する方向）に傾斜する傾斜面３３ｓが形成されている。
【００２１】
図１、図５、図６に示すように、係合爪３２は、カバー本体３０ｐの一端側３０ａに、カバー本体３０ｐの短手方向に間隔をあけて２箇所に設けられている。各係合爪３２には、カバー本体３０ｐの裏面と直交して延びる基部３２ａと、基部３２ａの先端部からカバー本体３０ｐの外方（一端側３０ａ）に向けて突出するアーム部３２ｂと、アーム部３２ｂの先端部に形成された係止突起３２ｃと、が一体に形成されている。
【００２２】
この電子機器１０Ｂにおいて、カバー部材３０で電池収容部２１を閉塞するには、まず、図７、図８に示すように、カバー部材３０のカバー本体３０ｐを、筺体２０の外表面２０ｆに平行にした状態に配置する。次に、カバー部材３０を、筺体２０の外表面２０ｆに直交する方向、つまり電池収容部２１に向けて移動させる。
そして、図８（ｃ）に示すように、ガイド爪３１、３３を、ガイド部２２が形成された凹部２６、案内部材２８が形成された凹部２７に対し、開口空間２６ｐ，２７ｐから挿入する。図８（ｂ）に示すように、係合爪３２は、係合凹部２９に対向した状態となる。
【００２３】
次いで、図８、図９に示すように、カバー部材３０を、筺体２０の一端２０ａ側に、筺体２０の外表面２０ｆと平行な方向にスライドさせる。すると、ガイド爪３１のアーム部３１ｂが、挿入空間２６ｑ内に入り込む。また、ガイド爪３３のアーム部３３ｂが、開口空間２７ｐ内に入り込む。これにより、カバー部材３０は、ガイド爪３１，３３が、ガイド部２２，案内部材２８によって案内されることで、筺体２０の外表面２０ｆに沿ったスライド移動方向に向かって移動自在に支持された状態となる。
この状態で、図９に示すように、カバー部材３０を筺体２０の一端２０ａ側に向けて、外表面２０ｆにと方向な方向にさらにスライド移動させる。すると、図９（ｂ）に示すように、カバー部材３０の一端側３０ａに設けられた係合爪３２が、電池収容部２１に形成された開口部２９ａから、電池収容部２１の側壁部２４Ａに形成された係合凹部２９に挿入され、係止突起３２ｃが係止爪２９ｔを乗り越えて係合する。また、図９（ｃ）に示すように、ガイド爪３１は、アーム部３１ｂがガイド部２２と噛み合い。ガイド爪３３は、アーム部３３ｂの傾斜面３３ｓが案内部材２８の傾斜面２８ｓと突き合わされた状態で噛みあう。これにより、カバー部材３０が電池収容部２１を閉塞した状態で筺体２０に係合される。
【００２４】
また、図１０に示すように、ユーザが、カバー部材３０で電池収容部２１を閉塞するときに、上記のようにカバー部材３０をスライド移動させない場合がある。例えば、ユーザが誤って、カバー部材３０を外表面２０ｆに対して斜めにして、その一端側３０ａに設けられた係合爪３２を筺体２０の係合凹部２９に挿入することがあり得る。この場合、図１０（ｂ）に示すように、係合爪３２を筺体２０の係合凹部２９に挿入した状態で、一端側３０ａを中心として、他端側３０ｂを筺体２０に接近させるように回動させて、カバー部材３０を電池収容部２１に嵌め込もうとする。
【００２５】
すると、図１０（ｂ）に示すように、ガイド爪３３は、カバー本体３０ｐにおいて、３箇所に設けられたガイド爪３１のいずれよりも一端側３０ａに近い側に形成されている。よって、ガイド爪３１がガイド部２２に突き当たるに先立って、ガイド爪３３が案内部２３に突き当たる。詳細には、カバー部材３０に設けられたガイド爪３３のアーム部３３ｂの先端が、筺体２０側の案内部材２８の案内部２３に突き当たる。案内部２３は、筺体２０の一端２０ａ側から他端２０ｂに向かうにしたがい、電池収容部２１の底面２１ａに近づく傾斜面からなる。このとき、係合爪３２は、筺体２０の係合凹部２９に挿入されてはいるものの、係止突起３２ｃが係止爪２９ｔに係合されていない状態となっている。このため、カバー部材３０は、係合爪３２の部分で、筺体２０の外表面２０ｆに直交する方向に変位が拘束され、筺体２０の外表面２０ｆに沿った方向に変位可能となっている。この状態で、カバー部材３０を、他端側３０ｂが筺体２０に接近するように回動させると、図１１に示すように、案内部２３によって案内されて、カバー部材３０が一端側３０ａから他端側３０ｂに向けて変位しながら回動する。カバー部材３０が一端側３０ａから他端側３０ｂに向けて変位する結果、ガイド爪３ｓ１が筺体２０のガイド部２２に干渉するのを防ぐ。そして、図１１（ｂ）に示すように、ガイド爪３１、３３が、ガイド部２２を有した凹部２６、案内部材２８を有した凹部２７に対し、開口空間２６ｐ，２７ｐから挿入される。
【００２６】
この後は、カバー部材３０の他端側３０ｂが筺体２０に突き当たるまでカバー部材３０を押し込むと、図８に示したように、カバー部材３０が、筺体２０の外表面２０ｆと平行な状態となるので、この後は、上記のスライド動作と同様、カバー部材３０を、筺体２０の一端２０ａ側に、筺体２０の外表面２０ｆに沿った方向にスライドさせる。これにより、係合爪３２が筺体２０に係合され、カバー部材３０が電池収容部２１を閉塞できるようになっている。
【００２７】
上述したようにして、カバー部材３０を誤った方法で筺体２０に取り付けようとした場合、カバー部材３０は、案内部２３によって一端側３０ａから他端側３０ｂに向けて変位するので、これによって、ガイド爪３１が筺体２０のガイド部２２に衝突するのを防ぐことができる。したがって、カバー部材３０や筺体２０の損傷を防ぐことが可能となる。
【００２８】
ここで、案内部２３には、ガイド爪３３が突き当たるが、案内部２３は傾斜面からなる。このため、図１０（ｂ）に示すように、ガイド爪３３が突き当たったときの力Ｆは、案内部２３に沿った方向の力Ｆ１と、案内部２３に直交する方向の力Ｆ２とに分散する。このようにして、案内部２３にかかる荷重（案内部２３に直交する方向の力Ｆ２）が小さくなるので、案内部２３が破損するのを防ぐことができる。また、案内部２３に沿った方向の力Ｆ１により、カバー部材３０を一端側３０ａから他端側３０ｂに向けてスムーズに変位させることが可能となる。
【００２９】
案内部２３は、筺体２０の一端２０ａ側から他端２０ｂに向かうにしたがい、電池収容部２１の底面２１ａに近づく傾斜面からなるので、この案内部２３によって、カバー部材３０を一端側３０ａから他端側３０ｂに向けてスムーズに変位させることができる。
【００３０】
また、被案内部の一例としてのアーム部３３ｂは、前記ガイド爪３３の一部に形成されているようにした。これにより、ガイド爪３３は、カバー部材３０を筺体２０の外表面２０ｆに沿った方向にスライド移動自在に支持する機能と、カバー部材３０が誤った方法で装着されようとしたときに、ガイド爪３１とガイド部２２との衝突を防ぐ機能とを兼ね備えたものとなる。
さらに、ガイド爪３３は、カバー本体３０ｐにおいて、３箇所に設けられたガイド爪３１のいずれよりも一端側３０ａに近い側に形成されているので、ガイド爪３１がガイド部２２に突き当たるに先立って、カバー部材３０が一端側３０ａから他端側３０ｂに向けて変位する。これによって、ガイド爪３１が筺体２０のガイド部２２に干渉するのを確実に防ぐことができる。
【００３１】
さらに、ガイド部２２、案内部２３、ガイド爪３３は、筺体２０及びカバー部材３０におけるスライド移動方向と直交する方向の両側にそれぞれ設けられている。よって、筺体が、カバー部材３０を安定して確実に案内することができる。
【００３２】
（その他の実施形態）
なお、本発明は、図面を参照して説明した上述の各実施形態に限定されるものではなく、その技術的範囲において様々な変形例が考えられる。
例えば、案内部２３は、筺体２０の一端２０ａ側から他端２０ｂに行くにしたがい、電池収容部２１の底面２１ａに近づく傾斜面からなるようにしたが、これを、筺体２０の一端２０ａ側から他端２０ｂに行くにしたがい、電池収容部２１の底面２１ａに近づくよう形成された湾曲面により形成してもよい。
【００３３】
また、ガイド爪３１や係合爪３２の設置数や形状等については、上記実施形態で示したものに限らず、適宜変更することが可能である。
さらに、上記したような電子機器１０Ａ，１０Ｂは、例えば、携帯電話端末、ＰＨＳ（Personal Handy-phone System）、トランシーバ、ＰＤＡ（Personal Digital Assistant）、ノート型パーソナルコンピュータ、携帯音楽プレーヤー等、とすることができる。したがって、筺体２０の具体的な構造、形状等については、いかなるものとしてもよい。
これ以外にも、本発明の主旨を逸脱しない限り、上記実施の形態で挙げた構成を取捨選択したり、他の構成に適宜変更したりすることが可能である。
【符号の説明】
【００３４】
１０Ａ，１０Ｂ  電子機器
２０  筺体
２０ａ  一端
２０ｂ  他端
２０ｆ  外表面
２１  開口部
２１  電池収容部
２１ａ  底面
２２  ガイド部
２３  案内部
２４Ａ，２４Ｂ，２４Ｃ，２４Ｄ  側壁部
２５Ａ  固定凹部
２５Ｂ  凹部
２６  凹部
２６ｐ，２７ｐ  開口空間
２６ｑ，２７ｑ  挿入空間
２７  凹部
２８  案内部材
２８ｓ  傾斜面
２９  係合凹部
２９ａ  開口部
２９ｔ  係止爪
３０  カバー部材
３０ａ  一端側
３０ｂ  他端側
３０ｐ  カバー本体
３１  ガイド爪
３１ａ  基部
３１ｂ  アーム部
３１ｃ  バックプレート部
３２  係合爪
３２ａ  基部
３２ｂ  アーム部
３３  ガイド爪
３３ａ  基部
３３ｂ  アーム部
３３ｃ  係止突起
３３ｓ  傾斜面
４０  電池パック
【図１】
2015015579.tif 000003
【図２】
2015015579.tif 000004
【図３】
2015015579.tif 000005
【図４】
2015015579.tif 000006
【図５】
2015015579.tif 000007
【図６】
2015015579.tif 000008
【図７】
2015015579.tif 000009
【図８】
2015015579.tif 000010
【図９】
2015015579.tif 000011
【図１０】
2015015579.tif 000012
【図１１】
2015015579.tif 000013
【図１２】
2015015579.tif 000014